(57)【要約】【課題】プラバーのような軟らかくて、しかも互いに絡んで塊状になりやすい粒体に対しても、詰まりや棚吊りの発生の防止を簡便な設備改造によって適切に行うことができる粒体貯蔵用ホッパーを提供する。【解決手段】ホッパー下部の絞り部２４の内壁に、傾斜角度を変更できる可動式邪魔板２４を取り付け、ホッパー上部のストレート部１１に、固定式邪魔板２１、２２、２３を設ける。これによって、可動式邪魔板２４等が投入されたプラバーを受け止め、排出口付近のプラバーにかかる圧縮荷重を低減して、プラバーの圧縮変形による詰まりや棚吊りの発生の防止する。【選択図】図１
2005263229.tif 000002
【特許請求の範囲】
【請求項１】
下方に向かって徐々に断面積が減少し、下端が排出口となっている絞り部を有する粒体貯蔵用ホッパーにおいて、前記絞り部の内壁に取り付けられ、上面が前記絞り部の内壁から斜め下方に傾斜した形状の邪魔板を備えていることを特徴とする粒体貯蔵用ホッパー。
【請求項２】
前記邪魔板は、上面の傾斜角度を変更できることを特徴とする請求項１記載の粒体貯蔵用ホッパー。
【請求項３】
前記邪魔板の上方のホッパー内部に、他の邪魔板を備えていることを特徴とする請求項１又は２に記載の粒体貯蔵用ホッパー。
【発明の詳細な説明】
【技術分野】
【０００１】
本発明は、粒体を貯蔵するホッパーに関し、特に、ホッパー内の粒体の詰まりや棚吊の発生を簡便に防止することができる粒体貯蔵用ホッパーに関するものである。
【背景技術】
【０００２】
従来、転炉での製鋼工程においては、造滓及び冷却のために、鉄鉱石や生石灰等が副原料として投入されている。図２は、転炉に副原料を投入する設備の説明図である。転炉１の上方にホッパー４が設けられており、副原料貯蔵用ホッパー４に貯蔵されている副原料は、電磁フィーダ等によって所定量切り出され、秤量機３で計量された後、副原料投入シュート２を経由して、転炉１に投入されるようになっている。
【０００３】
これに対して、近年、地球環境保護、資源の有効利用の立場から、転炉の副原料として、廃プラスチックと転炉排ガスダストを混合した円柱形の固形物（プラバーと呼ばれている）が投入されるようになってきた。ちなみに、プラバーは、プラスチック≧７０％、転炉排ガスダスト≦３０％の割合で混合された、直径が約３０ｍｍ、長さが２５〜１００ｍｍの円柱形粒体である。
【０００４】
しかし、プラバーは比重が軽く、軟らかく、表面に廃プラスチックの異物が不規則にはみ出ていて凹凸があるために互いに絡みやすいことから、鉱石等の使用を前提に設計されている既存の副原料貯蔵用ホッパーに使用すると、特に排出口近くの絞り部で圧縮されて一体化し、詰まりや棚吊りが発生しやすくなってしまう。そのために、副原料貯蔵用ホッパーの安定した使用が阻害されている。
【０００５】
これに対して、従来のホッパー内粒体の詰まりや棚吊を防止する方法としては、粒体の性状に合わせてホッパーの傾斜角、使用材質、排出口の大きさ等を変更するというホッパー自体の構造を変更する方法や、ノッカー、バイブレーター等の振動発生装置、エアレーション等の流動化装置、掻板等の攪拌装置等の付帯装置を用いる方法が挙げられる（例えば、特許文献１又は特許文献２参照。）。
【特許文献１】特開平８−０４８３８９号公報
【特許文献１】特開平９−２９５７１６号公報
【発明の開示】
【発明が解決しようとする課題】
【０００６】
プラバーを用いた際の副原料貯蔵用ホッパーの詰まりや棚吊りの発生を防止するために、前記の従来の発生防止方法を適用しようとした場合、以下のような問題がある。
【０００７】
まず、ホッパーの傾斜角度を変更する等のホッパー自体の構造を変更する方法は、大規模な改造となりコストがかかる。
【０００８】
また、ノッカー、エアレーション等の付属機器を設置する方法については、ノッカーは、プラバーのような軟らかい粒体が圧縮されて詰りが発生した時には逆効果になる危険性がある。エアレーションは粉粒体には有効であるが、プラバーのように互いに絡んで塊状になりやすい粒体には効果が無い。
【０００９】
本発明は、上記の事情に鑑みてなされたものであり、プラバーのような軟らかくて、しかも互いに絡んで塊状になりやすい粒体に対しても、詰まりや棚吊りの発生の防止を簡便な設備改造によって適切に行うことができる粒体貯蔵用ホッパーを提供することを目的とするものである。
【課題を解決するための手段】
【００１０】
上記課題を解決するために、本発明は以下の特徴を有する。
【００１１】
［１］下方に向かって徐々に断面積が減少し、下端が排出口となっている絞り部を有する粒体貯蔵用ホッパーにおいて、前記絞り部の内壁に取り付けられ、上面が前記絞り部の内壁から斜め下方に傾斜した形状の邪魔板を備えていることを特徴とする粒体貯蔵用ホッパー。
【００１２】
［２］前記邪魔板は、上面の傾斜角度を変更できることを特徴とする前記［１］記載の粒体貯蔵用ホッパー。
【００１３】
［３］前記邪魔板の上方のホッパー内部に、他の邪魔板を備えていることを特徴とする前記［１］又は［２］に記載の粒体貯蔵用ホッパー。
【発明の効果】
【００１４】
本発明においては、粒体貯蔵用ホッパーの絞り部の内壁に、上面が傾斜した邪魔板を取り付けているので、この邪魔板がホッパー上方から投入された粒体の一部を受け止めることにより、排出口の上部に溜まっている粒体にかかる圧縮荷重を緩和させ、プラバーのような軟らかくて絡みやすい粒体の場合でも、圧縮変形による詰まりや棚吊りの発生を防止することができる。
【００１５】
しかも、絞り部の内壁に邪魔板を取り付けるだけなので、大規模な設備改造を行う必要が無く、設備コストは安価なものですむ。
【発明を実施するための最良の形態】
【００１６】
本発明の一実施形態を、図１を参照しながら説明する。図１は、本発明の一実施形態に係る粒体貯蔵用ホッパーを示すものであり、図１（ａ）は平面図、図１（ｂ）は正面図、図１（ｃ）は側面図である。
【００１７】
図１中、１０がこの実施形態に係る粒体貯蔵用ホッパーである。粒体貯蔵用ホッパー１０は、矩形の水平断面を有しており、通常の貯蔵用ホッパーと同様に、ホッパーの上部は下方に向かって断面積が一定であるストレート部１１で、ホッパーの下部は下方に向かって断面積が徐々に減少する絞り部１２となっている。絞り部１２の下端は排出口１３となっており、排出口１３には電磁フィーダ１４が設置されている。
【００１８】
そして、この実施形態に係る粒体貯蔵用ホッパー１０においては、絞り部２４に可動式の邪魔板２４、ストレート部１１に固定式の邪魔板２１と邪魔板２２と邪魔板２３が設けられている。
【００１９】
可動式邪魔板２４は、幅方向の一端が絞り部２４の内壁に取り付けられた板材であり、上面が絞り部２４の内壁から斜め下方に傾斜している。そして、図１（ｃ）に示すように、その傾斜角度は任意に変更できるようになっており、その変更範囲は、可動式邪魔板２４の水平方向投影面が排出口１３を完全に覆ってしまう位置から、絞り部２４の内壁と同じ傾斜角度になる位置までの範囲で変更できるようになっている。
【００２０】
固定式邪魔板２１は、長手方向の両端をそれぞれストレート部１１の内壁に固定されて、ストレート部１１の中央部を水平方向に横切るように取り付けられている。そして、図１（ｂ）に示すように、その断面積は２等辺三角形であり、その頂点が上方に位置するように配置されている。
【００２１】
固定式邪魔板２２、固定式邪魔板２３は、互いに向き合うようにして設けられており、それぞれ、絞り部２４直上のストレート部１１の内壁に側面を固定されて、水平方向に延びるように取り付けられている。図１（ｂ）に示すように、断面積が直角三角形で、上面はストレート部１１の内壁から斜め下方に傾斜している。
【００２２】
なお、固定式邪魔板２１〜２３は同一水平方向に延びるように配置されており、可動式邪魔板２４は、固定式邪魔板２１〜２３と直交する水平方向に延びるように配置されている。
【００２３】
そして、上記のように構成された粒体貯蔵用ホッパー１０に、プラバーが投入された場合には、絞り部１２の内壁に取り付けられている可動式邪魔板２４が投入されたプラバーの一部を受け止め、その上面の傾斜に添ってプラバーが下方に移動するようになる。その結果、排出口１３の上部に溜まっているプラバーにかかる圧縮荷重が緩和され、プラバーのような軟らかくて絡みやすい粒体の場合においても、圧縮変形による詰まりや棚吊りの発生を防止することができる。
【００２４】
なお、性状が異なったプラバーが投入された場合やプラバー以外の粒体が投入された場合には、可動式邪魔板２４の傾斜角度を変更することによって、好適な傾斜角度に設定することができる。また、可動式邪魔板２４が無くても問題無い粒体の場合には、可動式邪魔板２４の傾斜角度を絞り部２４内壁の傾斜角度に一致させることにより、可動式邪魔板２４を取り外す手間を省くことができる。
【００２５】
それに加えて、ストレート部１１に設けられている固定式邪魔板２１、２２、２３が、ストレート部１１に投入されたプラバーを受け止め、その上面の傾斜に添ってプラバーが下方に移動するようにすることにより、プラバーが絞り部１２に直接落下することを極力防止する。これにより、投入されたプラバーが絞り部１２にまで直接落下することによる衝撃が緩和され、プラバーにかかる圧縮力の低減が図られるので、圧縮変形による詰まりや棚吊りの発生を一層防止することができる。
【００２６】
このようにして、この実施形態に係る粒体貯蔵用ホッパー１０においては、粒体貯蔵用ホッパーの内壁に適切な形状の邪魔板２１〜２４を取り付けているので、投入されたプラバーを受け止めて、排出口１３近傍のプラバーにかかる圧縮荷重を軽減することにより、プラバーのような軟らかくて絡みやすい粒体の場合でも、圧縮変形による詰まりや棚吊りの発生を防止することができる。これにより、粒体貯蔵用ホッパー１０の安定した連続使用が可能となる。
【００２７】
しかも、ホッパーの内壁に邪魔板２１〜２４を取り付けるだけなので、大規模な設備改造を行う必要が無く、設備コストは安価なものですむ。
【図面の簡単な説明】
【００２８】
【図１】本発明の一実施形態の説明図である。
【図２】転炉への副原料投入設備の説明図である。
【符号の説明】
【００２９】
１  転炉
２  副原料投入シュート
３  秤量機
４  副原料貯蔵用ホッパー
１０  粒体貯蔵用ホッパー
１１  ストレート部
１２  絞り部
１３  排出口
１４  電磁フィーダ
２１、２２、２３  固定式邪魔板
２４  可動式邪魔板
【図１】
2005263229.tif 000003
【図２】
2005263229.tif 000004